(57)【特許請求の範囲】
【請求項１】
作業者が搭乗するステップ（６８）を備え、前記ステップ（６８）に給油作業口（７６）を設け、前記給油作業口（７６）に燃料タンク（４０）の給油キャップ（７４）を対設させる移動農機において、車体フレーム（３）にガードフレーム（６６）を固定させ、燃料タンク（４０）の上面側にガードフレーム（６６）を延設させ、ステップ（６８）の平坦形状と略平行に、かつステップ（６８）下面側に前記ガードフレーム（６６）を取付け、ガードフレーム（６６）によってステップ（６８）の変形を制限することを特徴とする移動農機。
【発明の詳細な説明】
【０００１】
【発明の属する技術分野】
本発明は例えば苗載台及び植付爪を備えて連続的に苗植作業を行う田植機などの移動農機に関する。
【０００２】
【従来の技術】
従来、実開昭６３−１５０１４６号公報に示す如く、作業者が移動するステップをエンジン両側方に形成すると共に、機体前部のボンネットにエンジンを内設させる乗用田植機がある。
【０００３】
【発明が解決しようとする課題】
前記従来技術のような機体構造では、エンジンの上面側を利用して燃料タンクをボンネット上部に内設させた場合、エンジンの発熱または排気熱などにより燃料が加温され、エンジンに供給される途中で燃料に気泡が発生し易くなる。また、長期保管時に燃料タンク側で結露した水が燃料送給用部品に移動して溜まる不具合がある。また、燃料タンクの給油口がボンネット高位置になって
【０００４】
【課題を解決するための手段】
然るに、本発明は、作業者が搭乗するステップを備え、前記ステップに給油作業口を設け、前記給油作業口に燃料タンクの給油キャップを対設させる移動農機において、車体フレームにガードフレームを固定させ、燃料タンクの上面側にガードフレームを延設させ、ステップの平坦形状と略平行に、かつステップ下面側に前記ガードフレームを取付け、ガードフレームによってステップの変形を制限するもので、例えばステップに携帯用給油タンクを載せて給油作業を行い得るものである。
【０００５】
【発明の実施の形態】
以下、本発明の実施例を図面に基づいて詳述する。図１はエンジン部の平面図、図２は乗用田植機の側面図、図３は同平面図を示し、図中（１）は作業者が搭乗する走行車であり、エンジン（２）を左右一対の車体フレーム（３）（３）前部上方に搭載させ、ギヤ変速ケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ギヤ変速ケース（４）等を覆い、前記車体カバー（１２）上部に運転席（１３）を取付け、その運転席（１３）の前方で前記ボンネット（９）後部に操向ハンドル（１４）を設ける。
【０００６】
また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００７】
また、図中（２９）は主変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥機である。
【０００８】
さらに、図１、図４、図５、図６、図７に示す如く、前低後高（傾斜角約４度）に傾斜させる前記車体フレーム（３）前部上面に架台（３７）…を一体固定させ、架台（３７）…の前後方向が略水平な上面側に防振ゴム（３８）…を介してエンジン台（３９）を取付け、エンジン台（３９）に前記エンジン（２）を上載させ、前記エンジン（２）の左側に燃料タンク（４０）を、またエンジン（２）の右側にマフラー（４１）を取付けると共に、車体フレーム（３）前端側に前フレーム（４２）を介してバッテリ（４３）を取付けている。
【０００９】
また、前記車体フレーム（３）にケース台（４３）を一体固定させ、ケース台（４３）にステアリングケース（４４）を取付け、筒体（４５）に内挿させる操向ハンドル（１４）のステアリング軸（４６）を、左右車体フレーム（３）（３）間の略中央でステアリングケース（４４）上面に立設させると共に、ステアリングケース（４４）下面に出力軸（４７）を突設させ、左右の前輪（６）（６）を方向転換させる操向アーム（４８）を前記出力軸（４７）に取付けている。
【００１０】
また、前記エンジン（２）下方のエンジン台（３９）後端部に、前後方向に略水平な円筒形の軸受体（４９）を熔接固定させ、前記軸受体（４９）にカウンタ軸（５０）前側を片持ち軸支させ、カウンタ軸（５０）後端側にカウンタプーリ（５１）を取付けると共に、前記筒体（４５）の右側部にオルタネータ（５２）を配設させ、エンジン（２）後面にオルタネータ（５２）を対面配置させるもので、左右車体フレーム（３）（３）間の略中央上方にエンジン（２）の出力軸（５３）を設け、該出力軸（５３）に出力プーリ（５４）を取付け、該出力プーリ（５４）を前記カウンタプーリ（５１）にＶベルト（５５）（５５）を介して連結させると共に、オルタネータ（５２）の入力プーリ（５６）にＶベルト（５７）を介して前記出力プーリ（５４）を連結させている。
【００１１】
さらに、前記車体フレーム（３）後端部にリヤアクスルケース（７）をボルト止め固定させ、前記リヤアクスルケース（７）前面にギヤ変速ケース（４）後面を連結固定させると共に、ギヤ変速ケース（４）の右側前面にクラッチケース（５８）を一体形成し、クラッチケース（５８）前面に無段ベルト変速ケース（５９）右側後面を連結固定させ、また昇降シリンダ（２８）を作動させる油圧ポンプ（６０）をベルト変速ケース（５９）の左側後面に固定させるもので、四角パイプ形の左右車体フレーム（３）（３）の間でこの上面よりも低位置に前記各ケース（４）（５８）（５９）及び油圧ポンプ（６０）を吊下げ固定させ、ユニバーサルジョイント付き伝動軸（６１）を前記カウンタ軸（５０）後端とベルト変速ケース（５９）間に設け、エンジン（２）出力をベルト変速ケース（５９）に伝えると共に、フロントアクスルケース（５）とギヤ変速ケース（４）間に前輪伝動軸（６２）を設け、ギヤ変速ケース（４）の変速出力を各アクスルケース（５）（７）を介して前後輪（６）（８）に伝えるように構成している。
【００１２】
さらに、図１、図６、図７に示す如く、左右車体フレーム（３）（３）前端間をパイプフレーム（６３）によって一体固定させ、前高後低形の一対の前フレーム（４２）（４２）後端をパイプフレーム（６３）に固定させ、左右の前フレーム（４２）（４２）間に載台（６４）を介してバッテリ（４３）を取付ける。また、前フレーム（４２）前端上面に前ガードフレーム（６５）をボルト止め固定させ、バッテリ（４３）上面側で左右方向に略水平に前ガードフレーム（６５）を延設させる。そして前ガードフレーム（６５）の両端に左右ガードフレーム（６６）（６７）をボルト止め固定させ、燃料タンク（４０）の上面側で機体後方に左ガードフレーム（６６）を延設させると共に、マフラー（４１）の上面側で機体後方に右ガードフレーム（６７）を延設させるもので、車体カバー（１２）によって形成する作業用前ステップ（６８）の前端及び左右側端の形状と略平行に、かつ前ステップ（６８）の上面平坦形状と略平行に、前ステップ（６８）下面側に前記各ガードフレーム（６５）（６６）（６７）を取付け、各ガードフレーム（６５）（６６）（６７）によって前ステップ（６８）の変形を制限して燃料タンク（４０）及びマフラー（４１）及びバッテリ（４３）を保護させる。
【００１３】
さらに、前記パイプフレーム（６３）両端に左右の前苗台支柱（６９）（６９）を連結させ、左右車体フレーム（３）（３）に左右の後苗台支柱（７０）（７０）を連結させ、前記各支柱（６９）（７０）を前ステップ（６８）外側に略垂直に立設させ、各支柱（６９）（７０）上端側に予備苗載台（１０）を取付ける。また、左側の前フレーム（４２）及び前後苗台支柱（６９）（７０）に載台（７１）（７２）（７３）を介して燃料タンク（４０）を取付け、開閉自在な給油キャップ（７４）を取付けた給油口（７５）を燃料タンク（４０）上面に設け、前ステップ（６８）の給油作業口（７６）下方に給油キャップ（７４）を対設させ、前ステップ（６８）の給油作業口（７６）から、給油キャップ（７４）を外した給油口（７５）に携帯用給油タンクなどを用いて燃料を入れ、前ステップ（６８）下方の燃料タンク（４０）に燃料を補給する。
【００１４】
上記から明らかなように、エンジン（２）の側方でエンジン（２）上面よりも低い位置に燃料タンク（４０）を設けると共に、マフラー（４１）に対し左右反対側に前記燃料タンク（４０）を配設させ、燃料タンク（４０）をエンジン（２）上面よりも低くし、エンジン（２）の左右に燃料タンク（４０）とマフラー（４１）を振分け配置させ、エンジン（２）の発熱またはマフラー（４１）の排気熱などによって燃料タンク（４０）が高温になるのを防止し、キャブレータ（７７）内部で燃料に気泡が発生して燃料が適正に供給されなくなる不具合をなくし、キャブレータ（７７）などを用いたエンジン（２）への燃料供給を適正に行わせると共に、エンジン（２）を搭載させる車体フレーム（３）よりも上方に燃料タンク（４０）の下面を設け、農作業時に圃場の畦などに燃料タンク（４０）が衝突して損傷するのを防ぎ、かつ車体フレーム（３）の利用によって燃料タンク（４０）を高剛性で取付けることができる一方、エンジン（２）の上下幅内で左右側方に設けるステップ（６８）の下面側で該ステップ（６８）と略平行に燃料タンク（４０）上面を形成し、前記ステップ（６８）上面部で燃料タンク（４０）の補給作業を行え、また前ステップ（６８）によって燃料タンク（４０）を保護し、かつボンネット（９）の小型化を図り乍ら燃料タンク（４０）の大型化を図れるように構成している。
【００１５】
さらに、図７に示す如く、右車体フレーム（３）に載台（７８）を介してマフラー（４１）を取付け、エキゾーストパイプ（７９）を介してエンジン（２）にマフラー（４１）を排気接続させると共に、エキゾーストパイプ（７９）を内設させる断熱カバー（８０）をエンジン（２）に取付け、排気熱がボンネット（９）内部に拡散するのを前記カバー（８０）によって防いでいる。
【００１６】
さらに、図８、図９は前記図７の変形例を示すもので、図８に示す如く、燃料タンク（４０）の給油口（７５）を前ステップ（６８）の機外側に延出させ、前ステップ（６８）外側方に給油キャップ（７４）を設けることも行えると共に、図９に示す如く、燃料タンク（４０）の給油口（７５）を前ステップ（６８）機内側のボンネット（９）内部に延出させ、ボンネット（９）内部下方に給油キャップ（７４）を設けることも行えるもので、携帯用給油タンク（図示省略）を前ステップ（６８）上面に載せ、前ステップ（６８）外側またはボンネット（９）内側の給油キャップ（７４）部から給油を行える。
【００１７】
さらに、図１０に示す如く、前ステップ（６８）と苗台支柱（６９）（７０）間の隙間を塞ぐ底板（８１）を着脱自在に支柱（６９）（７０）に取付けると共に、四角形の予備肥料台フレーム（８２）を折畳み自在に前記支柱（６９）（７０）に取付け、支柱（６９）のフック（８３）に前記フレーム（８２）を係止させて格納させる一方、前記フレーム（８２）を略水平に前ステップ（６８）上方に突出させ、前ステップ（６８）及び底板（８１）上に載せた肥料袋（８４）を前記フレーム（８２）によって支持させ、または予備苗載台（１０）の苗使用後の空の苗箱（８５）を前記フレーム（８２）によって支持させるように構成したもので、ミッドマウント型の施肥機（３６）の肥料ホッパ容量を小さくして苗継ぎ作業等を容易に行える構造にしても、前記フレーム（８２）部に予備の肥料袋（８４）を搭載することにより、肥料をホッパに容易に補給でき、かつ肥料袋（８４）重量によって前後左右の機体バランスが崩れるのを防止でき、しかも前記フレーム（８２）を折畳むことによって前ステップ（６８）を通路として不都合なく使用できる。
【００１８】
【発明の効果】
以上実施例から明らかなように本発明は、作業者が搭乗するステップ（６８）を備え、前記ステップ（６８）に給油作業口（７６）を設け、前記給油作業口（７６）に燃料タンク（４０）の給油キャップ（７４）を対設させる移動農機において、車体フレーム（３）にガードフレーム（６６）を固定させ、燃料タンク（４０）の上面側にガードフレーム（６６）を延設させ、ステップ（６８）の平坦形状と略平行に、かつステップ（６８）下面側に前記ガードフレーム（６６）を取付け、ガードフレーム（６６）によってステップ（６８）の変形を制限するもので、例えば前記ステップ（６８）によって給油キャップ（７４）部を開閉可能に遮閉して保護したり、ステップ（６８）に携帯用給油タンクを載せて給油作業を行うことができるものである。
【図面の簡単な説明】
【図１】エンジン部の平面図。
【図２】乗用田植機の側面図。
【図３】同平面図。
【図４】走行車の側面図。
【図５】同平面図。
【図６】図１の側面図。
【図７】同部の背面図。
【図８】図７の変形例を示す背面図。
【図９】同背面図。
【図１０】予備肥料袋を載せる説明図。
【符号の説明】
（４０）  燃料タンク
（６８）  前ステップ
（７４）  給油キャップ
（７６）  給油作業口
【図１】
0003657509.tif 000002
【図２】
0003657509.tif 000003
【図３】
0003657509.tif 000004
【図４】
0003657509.tif 000005
【図５】
0003657509.tif 000006
【図６】
0003657509.tif 000007
【図７】
0003657509.tif 000008
【図８】
0003657509.tif 000009
【図９】
0003657509.tif 000010
【図１０】
0003657509.tif 000011